(57)【要約】【課題】本発明は、水中撮影時のカメラマンによるハウジング本体の手動操作性が良く、かつ、コンパクト化が容易で、運搬、保管時の便宜をも図ることもできる水中カメラハウジングを提供する。【解決手段】本発明は、カメラを収納するハウジング本体２と、このハウジング本体２の両側面に配置した把持用の一対のグリップ２１とを有する水中カメラハウジング１であって、ハウジング本体２の側面下部位置に設けた係合用の溝を有するグリップ受部３４と、グリップ２１の下部位置に設けたグリップ受部３４に溝結合で係合するグリップ係合部２５と、グリップ係合部２５を貫いてグリップ受部３４にネジ結合し、グリップ係合部２５のグリップ受部３４に対する回動位置固定、固定解除を行なう操作ネジ３５と、を具備するグリップ回動調整機構部３１をハウジング本体２の両側面下部位置に各々設け、一対のグリップ２１を、ハウジング本体２の両側面外側でハウジング本体２の前方側、後方側にわたって傾倒状態に回動調整可能としたものである。【選択図】図１
2009265566.tif 000002
【特許請求の範囲】
【請求項１】
カメラを収納するハウジング本体と、このハウジング本体の側面に配置した把持用のグリップと、を有する水中カメラハウジングであって、
前記グリップのハウジング本体に対する配置を、ハウジング本体の両側面外側で傾倒状態に回動調整可能なグリップ回動調整機構部を備えたことを特徴とする水中カメラハウジング。
【請求項２】
傾倒状態
カメラを収納するハウジング本体と、このハウジング本体の両側面に配置した把持用の一対のグリップと、を有する水中カメラハウジングであって、
前記ハウジング本体の側面下部位置に設けた係合用の溝を有するグリップ受部と、前記グリップの下部位置に設けた前記グリップ受部に溝結合で係合するグリップ係合部と、前記グリップ係合部を貫いて前記グリップ受部にネジ結合し、グリップ係合部のグリップ受部に対する回動位置固定、固定解除を行なう操作ネジと、を具備するグリップ回動調整機構部をハウジング本体の両側面下部位置に各々設け、
前記一対のグリップを、ハウジング本体の両側面外側でハウジング本体の前方側、後方側にわたって傾倒状態に回動調整可能としたことを特徴とする水中カメラハウジング。
【請求項３】
カメラを収納するハウジング本体と、このハウジング本体の両側面に配置した把持用の一対のグリップと、を有する水中カメラハウジングであって、
前記ハウジング本体の側面下部位置に設けた中心部にネジ孔を有し、ネジ孔の回りに放射状溝を円形配置に設けたグリップ受部と、前記グリップの下部位置に設けた貫通孔を有し、貫通孔の回りに前記グリップ受部の放射状溝に係合する放射状溝を円形配置に設けたグリップ係合部と、前記グリップ係合部の貫通孔を貫いてグリップ受部のネジ孔に螺合し、グリップ係合部のグリップ受部に対する回動位置固定、固定解除を行なう操作ネジと、を具備するグリップ回動調整機構部をハウジング本体の両側面下部位置に各々設け、
前記一対のグリップを、ハウジング本体の両側面外側でハウジング本体の前方側、後方側にわたって傾倒状態に回動調整可能としたことを特徴とする水中カメラハウジング。
【発明の詳細な説明】
【技術分野】
【０００１】
本発明は、水中カメラハウジングに関し、詳しくは、水中撮影時のカメラマンによるハウジング本体の手動操作性が良好な水中カメラハウジングに関するものである。
【背景技術】
【０００２】
一般に、海中等で魚類や水中植物を撮影する場合には、デジタルカメラ等を水中カメラハウジング内に収容して防水を図り、この状態でカメラマンが水中カメラハウジングの両側面に設けた一対のグリップを両手で把持して水中に潜り、デジタルカメラ等を被写体に向け水中撮影を実行している。
【０００３】
従来用いられている水中カメラハウジングにおいては、一対のグリップが水中カメラハウジング対して定位置に固定された構造のものが殆どであり、このため、カメラマンが陸上撮影に比べ両手の挙動が不自由な水中においてグリップの位置を調整して水中カメラハウジング、すなわち内蔵カメラを被写体撮影のための最適位置に向けるような操作をすることは必ずしも容易ではなく、使い易い操作性を得ることができなかった。
【０００４】
特許文献１には、カメラを内蔵する水中カメラハウジングの底部に付加されたベースプレートのグリップを兼ねる支柱から伸びるアームの先にストロボを取り付けた構成の水中カメラとストロボとの接続制御システムが開示されている。
【０００５】
この特許文献１の場合も、支柱（グリップ）が水中カメラハウジングに対して定位置に固定された構造であり、やはり水中撮影時に内蔵カメラを被写体撮影のための最適位置に向けるような操作をすることは必ずしも容易ではない。
【特許文献１】特開２０００−０３５６１１号公報
【発明の開示】
【発明が解決しようとする課題】
【０００６】
本発明が解決しようとする問題点は、水中撮影時のカメラマンによる水中カメラハウジングに対する手動操作性が良く、内蔵カメラを被写体撮影のための最適位置に向けることが容易な水中カメラハウジングが存在しない点である。
【課題を解決するための手段】
【０００７】
本発明の水中カメラハウジングは、カメラを収納するハウジング本体と、このハウジング本体の側面に配置した把持用のグリップと、を有する水中カメラハウジングであって、  前記グリップのハウジング本体に対する配置を、ハウジング本体の両側面外側で傾倒状態に回動調整可能なグリップ回動調整機構部を備えたことを最も主要な特徴とする。
【発明の効果】
【０００８】
請求項１記載の発明によれば、グリップのハウジング本体に対する配置をグリップのハウジング本体に対する配置を、ハウジング本体の両側面外側で傾倒状態に回動調整可能なグリップ回動調整機構部を備えたことにより、水中撮影時のカメラマンによる水中カメラハウジングに対する手動操作性が良く、内蔵カメラを被写体撮影のための最適位置に向けることが容易な水中カメラハウジングを提供することができる。
【０００９】
請求項２、３記載の発明によれば、ハウジング本体の両側面下部位置に各々グリップ受部、グリップ受部に溝結合で係合するグリップ係合部、及び、グリップ係合部を貫いて前記グリップ受部にネジ結合し、グリップ係合部のグリップ受部に対する回動位置固定、固定解除を行なう操作ネジを備えるグリップ回動調整機構部を設けた構成で、カメラマンがもっとも操作し易い位置にハウジング本体の両側面のグリップを各々傾倒調整してハウジング本体を保持することが可能となり、水中撮影時のカメラマンによるハウジング本体に関する手動操作性の最適化を実現し、内蔵カメラを被写体撮影のための最適位置に向けることが容易な水中カメラハウジングを提供することができる。
【発明を実施するための最良の形態】
【００１０】
本発明は、水中撮影時のカメラマンによるハウジング本体の手動操作性が良く、内蔵カメラを被写体撮影のための最適位置に向けることが容易な水中カメラハウジングを提供するという目的を有するものである。
【００１１】
本発明は、カメラを収納するハウジング本体と、このハウジング本体の両側面に配置した把持用の一対のグリップと、を有する水中カメラハウジングであって、前記ハウジング本体の側面下部位置に設けた係合用の溝を有するグリップ受部と、前記グリップの下部位置に設けた前記グリップ受部に溝結合で係合するグリップ係合部と、前記グリップ係合部を貫いて前記グリップ受部にネジ結合し、グリップ係合部のグリップ受部に対する回動位置固定、固定解除を行なう操作ネジと、を具備するグリップ回動調整機構部をハウジング本体の両側面下部位置に各々設け、前記一対のグリップを、ハウジング本体の両側面外側でハウジング本体の前方側、後方側にわたって傾倒状態に回動調整可能とした構成により上記目的を実現した。
【実施例】
【００１２】
以下に、本発明の実施例に係る水中カメラハウジングについて図１乃至図６図面を参照して詳細に説明する。
【００１３】
本実施例に係る水中カメラハウジング１は、図１に示すように、例えばデジタルカメラ等を内部に収納するハウジング本体２と、このハウジング本体２の両側面にハウジング本体２に沿って起立状態に配置したカメラマン把持用で、その指の形状に対応した凹凸部２２を備えるグリップ２１、２１と、を有している。
【００１４】
尚、図１は、水中カメラハウジング１を左側面側から見た状態を示し、かつ、グリップ２１を分解離脱した状態で示すものであり、これに対して、図４乃至図６は水中カメラハウジング１を右側面側から見た状態を示すものである。
【００１５】
本実施例に係る水中カメラハウジング１において、前記グリップ２１は、ハウジング本体２の両側面下部位置に各々設けたグリップ回動調整機構部３１を介してハウジング本体２の両側面外側でハウジング本体２の前方側、後方側にわたって傾倒状態に回動調整可能に連結している。
【００１６】
前記グリップ回動調整機構部３１は、図２に示すように、前記ハウジング本体２の左側面下部位置に設けた中心部にネジ孔３２を有し、このネジ孔３２の回りに放射状溝３３を円形配置に設けたグリップ受部３４と、図３にも示すように、前記グリップ２１の下部位置に設けた貫通孔２３を有し、この貫通孔２３の回りに前記グリップ受部３４の放射状溝３３に係合する放射状溝２４を円形配置に設けたグリップ係合部２５と、前記グリップ係合部２５の貫通孔２３を貫いてグリップ受部３４のネジ孔３２に螺合し、グリップ係合部２５のグリップ受部３４に対する回動位置固定、固定解除を行なう操作ネジ３５と、を有している。
【００１７】
前記グリップ２１の頂部には、ブラケットシュー２６、ラニヤードフック２７を配置している。
【００１８】
前記ハウジング本体２の背面側から見て右側（右側面）のグリップ回動調整機構部３１も上述した場合と同様な構成としている。
【００１９】
前記ハウジング本体２は、フロントケース６、リアケース７により囲まれる内部空間によりデジタルカメラ等を内蔵するための収納スペースを形成するとともに、パチン錠８によりフロントケース６、リアケース７を密に固定するように構成している。
【００２０】
また、前記ハウジング本体２の上面には、ハウジングシュー９、ストロボコネクタ１０、ＴＴＬコンバータ用コネクタ１１等の釦類等が設けられている。
【００２１】
前記ハウジング本体２の右側面には、レリーズレバー１４、サブコマンドダイヤル１５等が設けられ、また、左側面にはフォーカス／ズームダイヤル１６、フォーカスモードダイヤル１７等が設けられている。さらに、前記ハウジング本体２の正面には、ハウジングカバー１８が設けられている。
【００２２】
次に、本実施例に係る水中カメラハウジング１の作用、効果を、前記グリップ２１の回動を主にし、図４乃至図６をも参照して説明する。
【００２３】
本実施例に係る水中カメラハウジング１においては、グリップ２１をハウジング本体２の側面に対して所望の角度とし、前記グリップ２１のグリップ係合部２５を、前記グリップ回動調整機構部３１のハウジング本体２のグリップ受部３４に当て、前記放射状溝２４と放射状溝３３とを溝結合させる。
【００２４】
また、前記操作ネジ３５を貫通孔２３を貫通させて前記ネジ孔３２に螺合させて締め付けることで、グリップ２１をハウジング本体２の両側面において図４に示す定常位置、図５に示すハウジング本体２の前方に傾倒した位置、図６に示すハウジング本体２の後方に傾倒した位置等のようにカメラマンが所望する位置に調整し固定できる。
【００２５】
また、操作ネジ３５を緩めることで、前記放射状溝２４と放射状溝３３との溝結合が解除されるので、前記グリップ２１のハウジング本体２の側面に対する傾倒角度の調整も微小角度に至るまで極めて簡便に実行できる。
【００２６】
さらに、前記放射状溝２４と放射状溝３３とを溝結合で係合させる構成であることから、グリップ２１をハウジング本体２に対して所望の傾倒角度においてロック状態で強固に固着できる利点もある。
【００２７】
これにより、カメラマンがもっとも操作し易い位置に前記ハウジング本体２の両側面の各グリップ２１を各々傾倒調整してハウジング本体２を保持することが可能となり、水中撮影時のカメラマンによるハウジング本体２に関する手動操作性の最適化を実現し、内蔵カメラを被写体撮影のための最適位置に向けて所望の被写体撮影を実行できる。
【産業上の利用可能性】
【００２８】
本発明は、上述したようなハウジング本体の両側にグリップを回動調整可能に取り付けた構成とする他、ハウジング本体の片側にのみグリップを回動調整可能に取り付けた構成としたり、ビデオカメラ用のハウジング本体にグリップを回動調整可能に取り付けた構成としたり等、広範に応用可能である。
【図面の簡単な説明】
【００２９】
【図１】本発明の実施例に係る水中カメラハウジングの概略分解斜視図である。
【図２】本実施例に係る水中カメラハウジングにおけるハウジング本体に設けたグリップ受部の部分図である。
【図３】本実施例に係る水中カメラハウジングのグリップに設けたグリップ係合部の部分斜視図である。
【図４】本実施例に係る水中カメラハウジングのグリップを定常位置とした状態の側面図である。
【図５】本実施例に係る水中カメラハウジングのグリップを先方に傾倒した状態の側面図である。
【図６】本実施例に係る水中カメラハウジングのグリップを後方に傾倒した状態の側面図である。
【符号の説明】
【００３０】
１    水中カメラハウジング
２    ハウジング本体
６    フロントケース
７    リアケース
８    パチン錠
９    ハウジングシュー
１０    ストロボコネクタ
１１    ＴＴＬコンバータ用コネクタ
１４    レリーズレバー
１５    サブコマンドダイヤル
１６    フォーカス／ズームダイヤル
１７    フォーカスモードダイヤル
１８    ハウジングカバー
２１    グリップ
２２    凹凸部
２３    貫通孔
２４    放射状溝
２５    グリップ係合部
２６    ブラケットシュー
２７    ラニヤードフック
３１    グリップ回動調整機構部
３２    ネジ孔
３３    放射状溝
３４    グリップ受部
３５    操作ネジ
【図１】
2009265566.tif 000003
【図２】
2009265566.tif 000004
【図３】
2009265566.tif 000005
【図４】
2009265566.tif 000006
【図５】
2009265566.tif 000007
【図６】
2009265566.tif 000008